(57)【要約】  【課題】  高速掃き捨て機能を有するテレビジョンカメラにおいて、トリガーモード時のフレームレートを大幅に改善できるテレビジョンカメラを得る。  【解決手段】  第１のトリガー信号５で固体撮像素子１の伝送路の電荷を掃き出し且つ第２のトリガー信号４で前記固体撮像素子を露光させて映像信号を出力する手段（６，２）を備えることを特徴とする。【選択図】  図１
2006042151.tif 000002
【特許請求の範囲】
【請求項１】
第１のトリガー信号で固体撮像素子の伝送路の電荷を掃き出し且つ第２のトリガー信号で前記固体撮像素子を露光させて映像信号を出力する手段を備えることを特徴とするテレビジョンカメラ。
【発明の詳細な説明】
【技術分野】
【０００１】
本発明は、テレビジョンカメラ、特に高速掃き捨て機能を有するテレビジョンカメラに関する。
【背景技術】
【０００２】
従来において、高速掃き捨て機能を有するテレビジョンカメラがある。高速掃き捨て機能とは、トリガーモード時の待ち受け期間に固体撮像素子の垂直転送路で光電電荷を高速転送させて不要電荷（スミア）を掃き捨てることにより、トリガーモード時の強い入射光による固体撮像素子の問題であるスミアを改善する機能である。
【０００３】
高速掃き捨て機能を有するテレビジョンカメラにおいて、１フレームの映像信号の読み出し時間が３３．３ｍｓで、垂直転送路の不要電荷の掃き出し時間が４．６ｍｓの固体撮像素子の場合、トリガーモードでスミアを低減されるためには、３３．３ｍｓ＋４．６ｍｓ＝３７．９ｍｓ以上の時間が必要である。このためどうしても、低スミアのトリガーモード期間は、固体撮像素子の映像信号の読み出し期間より長くなる。
【０００４】
図３は、従来の高速掃き捨て機能を有するテレビジョンカメラの構成図である（文献公知発明に係るものではない）。また図４は、従来の高速掃き捨て機能を有するテレビジョンカメラにおける高速掃き捨て機能の動作を示す図である。
【０００５】
従来の高速掃き捨て機能を有するテレビジョンカメラは、固体撮像素子１と水平、垂直転送パルス駆動回路２と水平、垂直転送パルス発生器３ａを備えるタイミング発生器３とトリガーパルス（ＴＲＩＧ−Ａ）４で構成される。
【０００６】
トリガーパルス（ＴＲＩＧ−Ａ）４のトリガーモード期間は、図４に示すように、固体撮像素子の映像信号の読み出し期間３３．３ｍｓに、垂直転送路の不要電荷の掃き出し時間４．６ｍｓ以上を加えた３３．３ｍｓ＋４．６ｍｓ＝３７．９ｍｓ以上である。
【０００７】
トリガーパルス（ＴＲＩＧ−Ａ）４のＨＩＧＨレベル期間が入力されるまで、水平、垂直転送パルス発生器３では、垂直転送パルス駆動回路２を介して固体撮像素子１の垂直転送路に高速転送パルスを入力し、この時固体撮像素子１は映像信号を出力しない。
【０００８】
トリガーパルス（ＴＲＩＧ−Ａ）４のＨＩＧＨレベル期間が入力されると、固体撮像素子１は露光を開始し、露光の終了後に、露光の光電電荷を垂直転送路で通常転送して映像信号を出力する。そしてトリガーパルス（ＴＲＩＧ−Ａ）４の次のＨＩＧＨレベル期間が入力されるまで高速転送をする。
【０００９】
なお、テレビジョンカメラにおいて、固体撮像素子であるＣＣＤの駆動の仕方については、例えば特許文献１に記載されている。
【００１０】
【特許文献１】特開２００２−４４５２８号公報
【発明の開示】
【発明が解決しようとする課題】
【００１１】
上述のように従来技術では、露光の終了後、垂直転送路では露光の光電電荷を通常転送して映像信号を出力する。そしてトリガーパルスの次のＨＩＧＨレベル期間が来るまで垂直転送路では高速転送をする。そのため、トリガーパルスのトリガーモード期間は、カメラ垂直期間（１Ｖ＝３３．３ｍｓ）＋高速掃き捨て期間（図４では４．６ｍｓ）以上となっている。したがって、最大フレームレートが通常のトリガーモードに比較して低い。
【００１２】
本発明の課題は、高速掃き捨て機能を有するテレビジョンカメラにおいて、トリガーモード時のフレームレートを大幅に改善できるテレビジョンカメラを提供することにある。
【課題を解決するための手段】
【００１３】
本発明は、上述の課題を解決するために、第１のトリガー信号で固体撮像素子の伝送路の電荷を掃き出し且つ第２のトリガー信号で前記固体撮像素子を露光させて映像信号を出力する手段を備えることを特徴とする。
【発明の効果】
【００１４】
本発明によれば、高速掃き捨て機能を有するテレビジョンカメラにおいて、トリガーモード時のフレームレートを大幅に改善できるテレビジョンカメラを得ることができる。
【発明を実施するための最良の形態】
【００１５】
以下、本発明による高速掃き捨て機能を有するテレビジョンカメラの実施の形態について、図面を用いて説明する。
【００１６】
図１は、本発明による高速掃き捨て機能を有するテレビジョンカメラの実施の形態の構成図である。また図２は、本発明による高速掃き捨て機能を有するテレビジョンカメラの実施の形態における高速掃き捨て機能の動作を示す図である。
【００１７】
本発明による高速掃き捨て機能を有するテレビジョンカメラは、固体撮像素子１と水平、垂直転送パルス駆動回路２と水平、垂直転送パルス発生器６ａおよび高速掃き捨て用高速転送パルス選択回路６ｂを備えるタイミング発生器６とトリガーパルス（ＴＲＩＧ−Ａ）４と高速掃き捨て必要時高速転送発生パルス（ＴＲＩＧ−Ｂ）５で構成される。
【００１８】
ここで、トリガーパルス（ＴＲＩＧ−Ａ）４は水平、垂直転送パルス発生器６ａに接続され、高速掃き捨て必要時高速転送パルス（ＴＲＩＧ−Ｂ）５は高速掃き捨て用高速転送パルス転送パルス選択回路６ｂに接続されている。
【００１９】
低スミアが必要な時、高速掃き捨て必要時高速転送パルス（ＴＲＩＧ−Ｂ）５のＬＯＷレベル期間が、タイミング発生器６内の高速掃き捨て用高速転送パルス選択回路６ｂにて選択され、水平、垂直転送パルス発生器６ａに入力される。
【００２０】
水平、垂直転送パルス発生器６ａは、水平、垂直転送パルス駆動回路２を駆動して、駆動パルスを固体撮像素子１に入力する。このことにより固体撮像素子１は垂直伝送路の不要光電電荷を高速で掃き捨てる。
【００２１】
その後、トリガーパルス（ＴＲＩＧ−Ａ）４の次のＨＩＧＨレベル期間が水平、垂直転送パルス発生器６ａに入力されることで、水平、垂直転送パルス発生器６ａは露光パルスを発生し、水平、垂直転送パルス駆動回路２を駆動して、駆動パルスを固体撮像素子１に入力する。このことにより固体撮像素子１は露光するが、高速掃き捨てを行った後なので、固体撮像素子１は低スミアの映像信号を出力する。
【００２２】
本実施の形態では、高速掃き捨て必要時高速転送パルス（ＴＲＩＧ−Ｂ）５のＬＯＷレベル期間で、固体撮像素子の垂直伝送路の不要電荷を掃き出すように構成しているが、掃き出しのスタートのみを入力することで、固体撮像素子の垂直伝送路の不要電荷を全て掃き出す構成としても良い。
【００２３】
本実施の形態によれば、高速掃き捨て必要時高速転送発生パルスにより固体撮像素子の垂直伝送路の不要光電電荷を掃き捨てるので、トリガーパルスのトリガーパルス期間を１カメラ垂直期間（１Ｖ＝３３．３ｍｓ）ですませることができ、高速掃き捨て期間（図４では４．６ｍｓ以上）を別に必要としないため、トリガーモード時のフレームレートを大幅に改善できるテレビジョンカメラを得ることができる。
【図面の簡単な説明】
【００２４】
【図１】本発明による高速掃き捨て機能を有するテレビジョンカメラの実施の形態の構成図である。
【図２】本発明による高速掃き捨て機能を有するテレビジョンカメラの実施の形態における高速掃き捨て機能の動作を示す図である。
【図３】従来の高速掃き捨て機能を有するテレビジョンカメラの構成図である
【図４】従来の高速掃き捨て機能を有するテレビジョンカメラにおける高速掃き捨て機能の動作を示す図である。
【符号の説明】
【００２５】
１…固体撮像素子、２…水平、垂直転送パルス駆動回路、３…タイミング発生器、３ａ…水平、垂直転送パルス発生器、４…トリガーパルス（ＴＲＩＧ−Ａ）、５…高速掃き捨て必要時高速転送発生パルス（ＴＲＩＧ−Ｂ）、６…タイミング発生器、６ａ…水平、垂直転送パルス発生器、６ｂ…高速掃き捨て用高速転送パルス選択回路。
【図１】
2006042151.tif 000003
【図２】
2006042151.tif 000004
【図３】
2006042151.tif 000005
【図４】
2006042151.tif 000006